(57)【特許請求の範囲】
【請求項１】
ネットワークサービスに応じたネットワークサービス媒体を有するサーバーを備え、前記ネットワークサービス媒体を介して、前記ネットワークサービスを利用するためのデータを送信するユーザであるデータ差出人又は前記ネットワークサービス媒体を介して、前記ネットワークサービスを利用するためのデータを受信するユーザであるデータ受取人の少なくとも一方に広告情報を提供する広告情報提供システムであって、
前記ネットワークサービス媒体は、前記ユーザのブラウザー閲覧履歴を取得するためのユーザ情報取得部を有し、
前記ユーザのユーザ情報と、前記ブラウザー閲覧履歴に基づいて更新される前記ユーザのユーザ嗜好情報が前記ユーザの嗜好に基づいて保存される広告カテゴリーとを有するユーザ情報データベースと、
前記広告カテゴリーに応じて広告コンテンツが広告の優先順に保存される広告テーブルと、広告ＩＤと、広告主情報とを有する広告情報データベースと、
前記ユーザ嗜好情報の優先順位を更新するユーザ情報分析部と、
前記広告コンテンツの優先順位を更新する広告情報分析部と、
を備え、
前記ユーザ情報分析部は、
前記ブラウザー閲覧履歴から得たユーザ嗜好情報と、前記広告カテゴリー内の前記ユーザ嗜好情報とを照合し、一致した場合には、前記ユーザ嗜好情報の優先順位を上げ、
前記ユーザ情報に基づいて前記広告カテゴリー内の前記ユーザ嗜好情報を照合し、前記広告情報分析部に対して、最もマッチングした優先順位が最上位の前記ユーザ嗜好情報に対応した前記広告コンテンツの提供を求め、前記最上位の前記ユーザ嗜好情報の優先順位を最下位にし、
前記広告情報分析部は、前記ユーザ情報分析部から求められた前記広告コンテンツを前記広告情報データベースから取得し、前記ユーザ情報分析部に提供し、前記広告テーブル内の取得した前記広告コンテンツの優先順位を最下位にし、
前記ユーザ情報分析部は、提供された前記広告コンテンツを前記サーバーを介して、データ構造解釈及び作成部に提供し、
前記データ構造解釈及び作成部は、提供された前記広告コンテンツに基づいて前記ネットワークサービス媒体で表示される広告情報を作成する、
ことを特徴とする広告情報提供システム。
【請求項２】
請求項１記載の広告情報提供システムにおいて、
前記ユーザが広告サイトに接続する時に、前記ユーザのユーザＩＤを取得するとともに、前記広告サイトの広告サイトＵＲＬから広告ＩＤを取得するＵＲＬ情報分析部を有することを特徴とする広告情報提供システム。
【請求項３】
請求項２記載の広告情報提供システムにおいて、
前記ユーザ情報と、前記広告カテゴリーとを入力するユーザ情報登録部と、
前記広告テーブルと、前記広告ＩＤと、広告主情報とを入力する広告情報登録部と、
前記ユーザ及び広告主のポイントを管理及び精算するポイントマネージャーと、
を有することを特徴とする広告情報提供システム。
【請求項４】
請求項１〜３のいずれか１項に記載の広告情報提供システムにおいて、
前記データ構造解釈及び作成部は、
前記ネットワークサービス媒体によって提供される前記ネットワークサービスに係るデータの構造を解釈するデータ構造解釈部と、前記データ構造解釈部によって解釈されたデータに基づいて前記広告情報を作成するデータ構造作成部と、
を有することを特徴とする広告情報提供システム。
【請求項５】
請求項１〜４のいずれか１項に記載の広告情報提供システムにおいて、
前記データ差出人に提供される前記広告情報が追加された場合に広告追加伝達完了確認メッセージを前記データ差出人に伝達するメッセージ伝達装置を有することを特徴とする広告情報提供システム。
【請求項６】
請求項５記載の広告情報提供システムにおいて、
前記メッセージ伝達装置は、前記広告追加伝達完了確認メッセージを前記ユーザが利用する前記ネットワークサービスで利用できるデータに変換して、前記データ差出人に伝達することを特徴とする広告情報提供システム。
【請求項７】
請求項１〜６のいずれか１項に記載の広告情報提供システムにおいて、
前記ユーザ情報分析部は、
前記データ差出人がパーミッションユーザであるか否か及び前記ネットワークサービスを利用するためのデータの１日当たりの送信数を確認し、
前記データ差出人がパーミッションユーザであって前記ネットワークサービスを利用するためのデータの１日当たりの送信数が送信制限数以下の場合に前記広告情報を前記データ差出人に提供し、
前記データ受取人がパーミッションユーザであるか否か及び前記ネットワークサービスを利用するためのデータの１日当たりの送信数を確認し、
前記データ受取人がパーミッションユーザであって前記ネットワークサービスを利用するためのデータの１日当たりの露出数が露出制限数以下の場合に前記広告情報を前記データ受取人に提供することを特徴とする広告情報提供システム。
【請求項８】
請求項１〜７のいずれか１項に記載の広告情報提供システムにおいて、
前記ユーザ情報に基いてユーザＩＤを発行し、前記ユーザの端末に前記ユーザＩＤを保存するユーザ情報登録部とを有し、
前記ユーザ情報登録部が、前記ユーザ情報と、前記ユーザ嗜好情報と、前記ユーザＩＤと、を前記ユーザ情報データベースに保存し、
前記ユーザ情報分析部が、
前記ユーザ情報取得部により前記端末に保存されている前記ユーザＩＤと、前記ブラウザー閲覧履歴を収集し、
前記ブラウザー閲覧履歴に係るＵＲＬを持つウェブページに接続してキーワードを抽出し、前記抽出されたキーワードから前記ユーザが現在興味を持つユーザ嗜好情報を捜し出し、
前記ユーザ情報データベースから前記ユーザＩＤに対応する前記ユーザ嗜好情報を受信し、
捜し出した前記ユーザ嗜好情報と一致しない前記広告カテゴリーの中の前記ユーザ嗜好情報を削除し、前記広告カテゴリーの中の前記ユーザ嗜好情報の優先順位を更新することを特徴とする広告情報提供システム。
【請求項９】
ネットワークサービスに応じたネットワークサービス媒体を有するサーバーを備える広告情報提供システムにより、前記ネットワークサービス媒体を介して、前記ネットワークサービスを利用するためのデータを送信するユーザであるデータ差出人に広告情報を提供する広告情報提供方法であって、
前記広告情報提供システムは、
前記ネットワークサービス媒体が、前記ユーザのブラウザー閲覧履歴を取得するためのユーザ情報取得部を有し、
前記ユーザのユーザ情報と、前記ブラウザー閲覧履歴に基づいて更新される前記ユーザのユーザ嗜好情報が前記ユーザの嗜好に基づいて保存される広告カテゴリーとを有するユーザ情報データベースと、
前記広告カテゴリーに応じて広告コンテンツが広告の優先順に保存される広告テーブルと、広告ＩＤと、広告主情報とを有する広告情報データベースと、
前記ユーザ嗜好情報の優先順位を更新するユーザ情報分析部と、
前記広告コンテンツの優先順位を更新する広告情報分析部と、
を備え、
前記ユーザ情報分析部が、前記ブラウザー閲覧履歴から得たユーザ嗜好情報と、前記広告カテゴリー内の前記ユーザ嗜好情報とを照合し、一致した場合には、前記ユーザ嗜好情報の優先順位を上げる段階と、
前記ユーザ情報分析部が、前記ユーザ情報に基づいて前記広告カテゴリー内の前記ユーザ嗜好情報を照合し、前記広告情報分析部に対して、最もマッチングした優先順位が最上位の前記ユーザ嗜好情報に対応した前記広告コンテンツの提供を求め、前記最上位の前記ユーザ嗜好情報の優先順位を最下位にする段階と
前記広告情報分析部が、前記ユーザ情報分析部から求められた前記広告コンテンツを前記広告情報データベースから取得し、前記ユーザ情報分析部に提供し、前記広告テーブル内の取得した前記広告コンテンツの優先順位を最下位にする段階と、
前記ユーザ情報分析部が、提供された前記広告コンテンツを前記サーバーを介して、データ構造解釈及び作成部に提供する段階と、
前記データ構造解釈及び作成部が、提供された前記広告コンテンツに基づいて前記ネットワークサービス媒体で表示される広告情報を作成する段階と、
を備えることを特徴とする広告情報提供方法。
【請求項１０】
請求項９記載の広告情報提供方法において、
前記広告情報提供システムは、
前記ユーザが広告サイトに接続する時に、前記ユーザのユーザＩＤを取得するとともに、前記広告サイトの広告サイトＵＲＬから広告ＩＤを取得するＵＲＬ情報分析部を有することを特徴とする広告情報提供方法。
【請求項１１】
請求項１０記載の広告情報提供方法において、
前記広告情報提供システムは、
前記ユーザ情報と、前記広告カテゴリーとを入力するユーザ情報登録部と、
前記広告テーブルと、前記広告ＩＤと、広告主情報とを入力する広告情報登録部と、
前記ユーザ及び広告主のポイントを管理及び精算するポイントマネージャーと、
を有することを特徴とする広告情報提供方法。
【請求項１２】
請求項９〜１１のいずれか１項に記載の広告情報提供方法において、
前記データ構造解釈及び作成部は、
前記ネットワークサービス媒体によって提供される前記ネットワークサービスに係るデータの構造を解釈するデータ構造解釈部と、前記データ構造解釈部によって解釈されたデータに基づいて前記広告情報を作成するデータ構造作成部と、
を有することを特徴とする広告情報提供方法。
【請求項１３】
請求項９〜１２のいずれか１項に記載の広告情報提供方法において、
メッセージ伝達装置が、前記データ差出人に提供される前記広告情報が追加された場合に広告追加伝達完了確認メッセージを前記データ差出人に伝達する段階を有することを特徴とする広告情報提供方法。
【請求項１４】
請求項１３記載の広告情報提供方法において、
前記メッセージ伝達装置が、前記広告追加伝達完了確認メッセージを前記ユーザが利用する前記ネットワークサービスで利用できるデータに変換して、前記データ差出人に伝達する段階を有することを特徴とする広告情報提供方法。
【請求項１５】
請求項９〜１４のいずれか１項に記載の広告情報提供方法において、
前記ユーザ情報分析部が、前記データ差出人がパーミッションユーザであるか否か及び前記ネットワークサービスを利用するためのデータの１日当たりの送信数を確認する段階と、
前記ユーザ情報分析部が、前記データ差出人がパーミッションユーザであって前記ネットワークサービスを利用するためのデータの１日当たりの送信数が送信制限数以下の場合に前記広告情報を前記データ差出人に提供する段階と、
を有することを特徴とする広告情報提供方法。
【請求項１６】
請求項９〜１５のいずれか１項に記載の広告情報提供方法において、
前記広告情報提供システムは、前記ユーザ情報に基いてユーザＩＤを発行し、前記ユーザの端末に前記ユーザＩＤを保存するユーザ情報登録部とを有し、
前記ユーザ情報登録部が、前記ユーザ情報と、前記ユーザ嗜好情報と、前記ユーザＩＤと、を前記ユーザ情報データベースに保存する段階と、
前記ユーザ情報分析部が、前記ユーザ情報取得部により前記端末に保存されている前記ユーザＩＤと、前記ブラウザー閲覧履歴を収集する段階と、
前記ユーザ情報分析部が、前記ブラウザー閲覧履歴に係るＵＲＬを持つウェブページに接続してキーワードを抽出し、前記抽出されたキーワードから前記ユーザが現在興味を持つユーザ嗜好情報を捜し出す段階と、
前記ユーザ情報分析部が、前記ユーザ情報データベースから前記ユーザＩＤに対応する前記ユーザ嗜好情報を受信する段階と、
前記ユーザ情報分析部が、捜し出した前記ユーザ嗜好情報に基いて前記ユーザ情報データベースに保存された前記ユーザ嗜好情報を更新する段階と、を備え、
前記ユーザ嗜好情報を更新する段階は、前記ユーザ情報分析部が捜し出した前記ユーザ嗜好情報と一致しない前記広告カテゴリーの中の前記ユーザ嗜好情報を削除し、前記広告カテゴリーの中の前記ユーザ嗜好情報の優先順位を更新する段階を有することを特徴とする広告情報提供方法。
【請求項１７】
ネットワークサービスに応じたネットワークサービス媒体を有するサーバーを備える広告情報提供システムにより、前記ネットワークサービス媒体を介して、前記ネットワークサービスを利用するためのデータを受信するユーザであるデータ受取人に広告情報を提供する広告情報提供方法であって、
前記広告情報提供システムは、
前記ネットワークサービス媒体が、前記ユーザのブラウザー閲覧履歴を取得するためのユーザ情報取得部を有し、
前記ユーザのユーザ情報と、前記ブラウザー閲覧履歴に基づいて更新される前記ユーザのユーザ嗜好情報が前記ユーザの嗜好に基づいて保存される広告カテゴリーとを有するユーザ情報データベースと、
前記広告カテゴリーに応じて広告コンテンツが広告の優先順に保存される広告テーブルと、広告ＩＤと、広告主情報とを有する広告情報データベースと、
前記ユーザ嗜好情報の優先順位を更新するユーザ情報分析部と、
前記広告コンテンツの優先順位を更新する広告情報分析部と、
を備え、
前記ユーザ情報分析部が、前記ブラウザー閲覧履歴から得たユーザ嗜好情報と、前記広告カテゴリー内の前記ユーザ嗜好情報とを照合し、一致した場合には、前記ユーザ嗜好情報の優先順位を上げる段階と、
前記ユーザ情報分析部が、前記ユーザ情報に基づいて前記広告カテゴリー内の前記ユーザ嗜好情報を照合し、前記広告情報分析部に対して、最もマッチングした優先順位が最上位の前記ユーザ嗜好情報に対応した前記広告コンテンツの提供を求め、前記最上位の前記ユーザ嗜好情報の優先順位を最下位にする段階と
前記広告情報分析部が、前記ユーザ情報分析部から求められた前記広告コンテンツを前記広告情報データベースから取得し、前記ユーザ情報分析部に提供し、前記広告テーブル内の取得した前記広告コンテンツの優先順位を最下位にする段階と、
前記ユーザ情報分析部が、提供された前記広告コンテンツを前記サーバーを介して、データ構造解釈及び作成部に提供する段階と、
前記データ構造解釈及び作成部が、提供された前記広告コンテンツに基づいて前記ネットワークサービス媒体で表示される広告情報を作成する段階と、
を備えることを特徴とする広告情報提供方法。
【請求項１８】
請求項１７記載の広告情報提供方法において、
前記広告情報提供システムは、
前記ユーザが広告サイトに接続する時に、前記ユーザのユーザＩＤを取得するとともに、前記広告サイトの広告サイトＵＲＬから広告ＩＤを取得するＵＲＬ情報分析部を有することを特徴とする広告情報提供方法。
【請求項１９】
請求項１８記載の広告情報提供方法において、
前記広告情報提供システムは、
前記ユーザ情報と、前記広告カテゴリーとを入力するユーザ情報登録部と、
前記広告テーブルと、前記広告ＩＤと、広告主情報とを入力する広告情報登録部と、
前記ユーザ及び広告主のポイントを管理及び精算するポイントマネージャーと、
を有することを特徴とする広告情報提供方法。
【請求項２０】
請求項１７〜１９のいずれか１項に記載の広告情報提供方法において、
前記データ構造解釈及び作成部は、
前記ネットワークサービス媒体によって提供される前記ネットワークサービスに係るデータの構造を解釈するデータ構造解釈部と、前記データ構造解釈部によって解釈されたデータに基づいて前記広告情報を作成するデータ構造作成部と、
を有することを特徴とする広告情報提供方法。
【請求項２１】
請求項１７〜２０のいずれか１項に記載の広告情報提供方法において、
前記ユーザ情報分析部が、前記データ受取人がパーミッションユーザであるか否か及び前記ネットワークサービスを利用するためのデータの１日当たりの送信数を確認する段階と、
前記ユーザ情報分析部が、前記データ受取人がパーミッションユーザであって前記ネットワークサービスを利用するためのデータの１日当たりの露出数が露出制限数以下の場合に前記広告情報を前記データ受取人に提供する段階と、
を有することを特徴とする広告情報提供方法。
【請求項２２】
請求項１７〜２１のいずれか１項に記載の広告情報提供方法において、
前記広告情報提供システムは、前記ユーザ情報に基いてユーザＩＤを発行し、前記ユーザの端末に前記ユーザＩＤを保存するユーザ情報登録部とを有し、
前記ユーザ情報登録部が、前記ユーザ情報と、前記ユーザ嗜好情報と、前記ユーザＩＤと、を前記ユーザ情報データベースに保存する段階と、
前記ユーザ情報分析部が、前記ユーザ情報取得部により前記端末に保存されている前記ユーザＩＤと、前記ブラウザー閲覧履歴を収集する段階と、
前記ユーザ情報分析部が、前記ブラウザー閲覧履歴に係るＵＲＬを持つウェブページに接続してキーワードを抽出し、前記抽出されたキーワードから前記ユーザが現在興味を持つユーザ嗜好情報を捜し出す段階と、
前記ユーザ情報分析部が、前記ユーザ情報データベースから前記ユーザＩＤに対応する前記ユーザ嗜好情報を受信する段階と、
前記ユーザ情報分析部が、捜し出した前記ユーザ嗜好情報に基いて前記ユーザ情報データベースに保存された前記ユーザ嗜好情報を更新する段階と、を備え、
前記ユーザ嗜好情報を更新する段階は、前記ユーザ情報分析部が捜し出した前記ユーザ嗜好情報と一致しない前記広告カテゴリーの中の前記ユーザ嗜好情報を削除し、前記広告カテゴリーの中の前記ユーザ嗜好情報の優先順位を更新する段階を有することを特徴とする広告情報提供方法。
【請求項２３】
ネットワークサービスに応じたネットワークサービス媒体を有するサーバーと、ユーザ情報登録部と、ユーザ情報データベースと、ユーザ情報分析部とを備える広告情報提供システムにより、前記ユーザに広告情報を提供する広告情報提供方法であって、
前記ネットワークサービス媒体は、前記ユーザのブラウザー閲覧履歴を取得するためのユーザ情報取得部を有し、
前記ユーザ情報登録部が、前記ユーザのユーザ情報に基いてユーザＩＤを発行し、前記ユーザの端末に前記ユーザＩＤを保存する段階と、
前記ユーザ情報登録部が、前記ユーザ情報と、前記ユーザのユーザ嗜好情報が前記ユーザの嗜好に基づいて保存される広告カテゴリーと、前記ユーザＩＤと、を前記ユーザ情報データベースに保存する段階と、
前記ユーザ情報分析部が、前記ユーザ情報取得部により前記端末に保存されている前記ユーザＩＤと、前記ブラウザー閲覧履歴を収集する段階と、
前記ユーザ情報分析部が、前記ブラウザー閲覧履歴に係るＵＲＬを持つウェブページに接続してキーワードを抽出し、前記抽出されたキーワードから前記ユーザが現在興味を持つユーザ嗜好情報を捜し出す段階と、
前記ユーザ情報分析部が、前記ユーザ情報データベースから前記ユーザＩＤに対応する前記ユーザ嗜好情報を受信する段階と、
前記ユーザ情報分析部が、捜し出した前記ユーザ嗜好情報に基いて前記ユーザ情報データベースに保存された前記ユーザ嗜好情報を更新する段階と、を備え、
前記ユーザ嗜好情報を更新する段階は、前記ユーザ情報分析部が捜し出した前記ユーザ嗜好情報と一致しない前記広告カテゴリーの中の前記ユーザ嗜好情報を削除し、前記広告カテゴリーの中の前記ユーザ嗜好情報の優先順位を更新する段階を有することを特徴とする広告情報提供方法。
【発明の詳細な説明】
【発明の詳細な説明】
【技術分野】
【０００１】本発明は広告提供システム及び方法に関することとし、特にユーザの嗜好にあう広告をネットワークを通じて提供する広告提供システム及びその方法に関するものである。
【背景技術】
【０００２】インターネットの急速な普及によって、従来の新聞、テレビ、ラジオ以外にウェブページ、ブログ、メッセンジャー、電子メールなどが情報伝達手段として利用されている。【０００３】従来新聞、テレビ、ラジオに商業的広告があることと同じく、インターネットを利用した情報伝達手段であるウェプページ、ブログ、メッセンジャーや電子メールにも広告情報が付加してサービス供給者の収益源に活用されている。【０００４】インターネットを利用して広告情報を付け加えることができる従来技術として米合衆国公開特許番号  ＵＳ２００３００６９７８８号がある。
この従来技術によれば、ユーザに動画広告窓を設置したウェブブラウザーを使うようにし、動画広告窓にユーザ嗜好に相応しいオーダーメード広告をマルチキャスティングすることで広告主の広告效果を極大化する。しかし、このような従来技術によると、ユーザ嗜好に相応しいオーダーメード広告を提供して広告效果をある程度改善するが、ユーザ嗜好が最初登録の時設定した状態で変わらないので、現在のユーザ嗜好の変化をリアルタイムで反映することができなくて大きい広告效果を期待することはできないという問題点がある。
【発明の開示】
【発明が解決しようとする課題】
【０００５】本発明が成そうとする技術的課題はこのような従来技術の問題点を解決するために、データ差出人とデータ受取人の間で交換される情報に、データ差出人またはデータ受取人の現在関心分野にマッチングする広告をリアルタイムで生成して追加することができる広告提供システム及びその方法を提供するためのものである。
【課題を解決するための手段】
【０００６】
本発明に係る広告情報提供システムは、
ネットワークサービスに応じたネットワークサービス媒体を有するサーバーを備え、前記ネットワークサービス媒体を介して、前記ネットワークサービスを利用するためのデータを送信するユーザであるデータ差出人又は前記ネットワークサービス媒体を介して、前記ネットワークサービスを利用するためのデータを受信するユーザであるデータ受取人の少なくとも一方に広告情報を提供する広告情報提供システムであって、
前記ネットワークサービス媒体は、前記ユーザのブラウザー閲覧履歴を取得するためのユーザ情報取得部を有し、
前記ユーザのユーザ情報と、前記ブラウザー閲覧履歴に基づいて更新される前記ユーザのユーザ嗜好情報が前記ユーザの嗜好に基づいて保存される広告カテゴリーとを有するユーザ情報データベースと、
前記広告カテゴリーに応じて広告コンテンツが広告の優先順に保存される広告テーブルと、広告ＩＤと、広告主情報とを有する広告情報データベースと、
前記ユーザ嗜好情報の優先順位を更新するユーザ情報分析部と、
前記広告コンテンツの優先順位を更新する広告情報分析部と、
を備え、
前記ユーザ情報分析部は、
前記ブラウザー閲覧履歴から得たユーザ嗜好情報と、前記広告カテゴリー内の前記ユーザ嗜好情報とを照合し、一致した場合には、前記ユーザ嗜好情報の優先順位を上げ、
前記ユーザ情報に基づいて前記広告カテゴリー内の前記ユーザ嗜好情報を照合し、前記広告情報分析部に対して、最もマッチングした優先順位が最上位の前記ユーザ嗜好情報に対応した前記広告コンテンツの提供を求め、前記最上位の前記ユーザ嗜好情報の優先順位を最下位にし、
前記広告情報分析部は、前記ユーザ情報分析部から求められた前記広告コンテンツを前記広告情報データベースから取得し、前記ユーザ情報分析部に提供し、前記広告テーブル内の取得した前記広告コンテンツの優先順位を最下位にし、
前記ユーザ情報分析部は、提供された前記広告コンテンツを前記サーバーを介して、データ構造解釈及び作成部に提供し、
前記データ構造解釈及び作成部は、提供された前記広告コンテンツに基づいて前記ネットワークサービス媒体で表示される広告情報を作成する、
ことを特徴とする。
【０００７】
本発明に係る広告情報提供方法は、
ネットワークサービスに応じたネットワークサービス媒体を有するサーバーを備える広告情報提供システムにより、前記ネットワークサービス媒体を介して、前記ネットワークサービスを利用するためのデータを送信するユーザであるデータ差出人に広告情報を提供する広告情報提供方法であって、
前記広告情報提供システムは、
前記ネットワークサービス媒体が、前記ユーザのブラウザー閲覧履歴を取得するためのユーザ情報取得部を有し、
前記ユーザのユーザ情報と、前記ブラウザー閲覧履歴に基づいて更新される前記ユーザのユーザ嗜好情報が前記ユーザの嗜好に基づいて保存される広告カテゴリーとを有するユーザ情報データベースと、
前記広告カテゴリーに応じて広告コンテンツが広告の優先順に保存される広告テーブルと、広告ＩＤと、広告主情報とを有する広告情報データベースと、
前記ユーザ嗜好情報の優先順位を更新するユーザ情報分析部と、
前記広告コンテンツの優先順位を更新する広告情報分析部と、
を備え、
前記ユーザ情報分析部が、前記ブラウザー閲覧履歴から得たユーザ嗜好情報と、前記広告カテゴリー内の前記ユーザ嗜好情報とを照合し、一致した場合には、前記ユーザ嗜好情報の優先順位を上げる段階と、
前記ユーザ情報分析部が、前記ユーザ情報に基づいて前記広告カテゴリー内の前記ユーザ嗜好情報を照合し、前記広告情報分析部に対して、最もマッチングした優先順位が最上位の前記ユーザ嗜好情報に対応した前記広告コンテンツの提供を求め、前記最上位の前記ユーザ嗜好情報の優先順位を最下位にする段階と
前記広告情報分析部が、前記ユーザ情報分析部から求められた前記広告コンテンツを前記広告情報データベースから取得し、前記ユーザ情報分析部に提供し、前記広告テーブル内の取得した前記広告コンテンツの優先順位を最下位にする段階と、
前記ユーザ情報分析部が、提供された前記広告コンテンツを前記サーバーを介して、データ構造解釈及び作成部に提供する段階と、
前記データ構造解釈及び作成部が、提供された前記広告コンテンツに基づいて前記ネットワークサービス媒体で表示される広告情報を作成する段階と、
を備えることを特徴とする。
【０００８】
本発明に係る広告情報提供方法は、
ネットワークサービスに応じたネットワークサービス媒体を有するサーバーを備える広告情報提供システムにより、前記ネットワークサービス媒体を介して、前記ネットワークサービスを利用するためのデータを受信するユーザであるデータ受取人に広告情報を提供する広告情報提供方法であって、
前記広告情報提供システムは、
前記ネットワークサービス媒体が、前記ユーザのブラウザー閲覧履歴を取得するためのユーザ情報取得部を有し、
前記ユーザのユーザ情報と、前記ブラウザー閲覧履歴に基づいて更新される前記ユーザのユーザ嗜好情報が前記ユーザの嗜好に基づいて保存される広告カテゴリーとを有するユーザ情報データベースと、
前記広告カテゴリーに応じて広告コンテンツが広告の優先順に保存される広告テーブルと、広告ＩＤと、広告主情報とを有する広告情報データベースと、
前記ユーザ嗜好情報の優先順位を更新するユーザ情報分析部と、
前記広告コンテンツの優先順位を更新する広告情報分析部と、
を備え、
前記ユーザ情報分析部が、前記ブラウザー閲覧履歴から得たユーザ嗜好情報と、前記広告カテゴリー内の前記ユーザ嗜好情報とを照合し、一致した場合には、前記ユーザ嗜好情報の優先順位を上げる段階と、
前記ユーザ情報分析部が、前記ユーザ情報に基づいて前記広告カテゴリー内の前記ユーザ嗜好情報を照合し、前記広告情報分析部に対して、最もマッチングした優先順位が最上位の前記ユーザ嗜好情報に対応した前記広告コンテンツの提供を求め、前記最上位の前記ユーザ嗜好情報の優先順位を最下位にする段階と
前記広告情報分析部が、前記ユーザ情報分析部から求められた前記広告コンテンツを前記広告情報データベースから取得し、前記ユーザ情報分析部に提供し、前記広告テーブル内の取得した前記広告コンテンツの優先順位を最下位にする段階と、
前記ユーザ情報分析部が、提供された前記広告コンテンツを前記サーバーを介して、データ構造解釈及び作成部に提供する段階と、
前記データ構造解釈及び作成部が、提供された前記広告コンテンツに基づいて前記ネットワークサービス媒体で表示される広告情報を作成する段階と、
を備えることを特徴とする。
【０００９】
本発明に係る広告情報提供方法は、
ネットワークサービスに応じたネットワークサービス媒体を有するサーバーと、ユーザ情報登録部と、ユーザ情報データベースと、ユーザ情報分析部とを備える広告情報提供システムにより、前記ユーザに広告情報を提供する広告情報提供方法であって、
前記ネットワークサービス媒体は、前記ユーザのブラウザー閲覧履歴を取得するためのユーザ情報取得部を有し、
前記ユーザ情報登録部が、前記ユーザのユーザ情報に基いてユーザＩＤを発行し、前記ユーザの端末に保存する段階と、
前記ユーザ情報登録部が、前記ユーザ情報と、前記ユーザのユーザ嗜好情報が前記ユーザの嗜好に基づいて保存される広告カテゴリーと、前記ユーザＩＤと、を前記ユーザ情報データベースに保存する段階と、
前記ユーザ情報分析部が、前記ユーザ情報取得部により前記端末に保存されている前記ユーザＩＤと、前記ブラウザー閲覧履歴を収集する段階と、
前記ユーザ情報分析部が、前記ブラウザー閲覧履歴に係るＵＲＬを持つウェブページに接続してキーワードを抽出し、前記抽出されたキーワードから前記ユーザが現在興味を持つユーザ嗜好情報を捜し出す段階と、
前記ユーザ情報分析部が、前記ユーザ情報データベースから前記ユーザＩＤに対応する前記ユーザ嗜好情報を受信する段階と、
前記ユーザ情報分析部が、捜し出した前記ユーザ嗜好情報に基いて前記ユーザ情報データベースに保存された前記ユーザ嗜好情報を更新する段階と、を備え、
前記ユーザ嗜好情報を更新する段階は、前記ユーザ情報分析部が捜し出した前記ユーザ嗜好情報と一致しない前記広告カテゴリーの中の前記ユーザ嗜好情報を削除し、前記広告カテゴリーの中の前記ユーザ嗜好情報の優先順位を更新する段階を有することを特徴とする。
【００１０】下記では添付した図面を参考にして本発明の実試例に対して本発明が属する技術分野で通常の知識を持つ者が容易に実施するように詳しく説明する。しかし本発明はいろいろ相異な形態に具現されることができるし、ここで説明する実試例に限定されない。そして図面で本発明を明確に説明するために説明と関係ない部分は省略し、明細書全体を通じて類似部分に対しては類似の図面符号を付けた。
明細書全体で、どんな部分がどんな構成要素を″含む″とする時、これは特別に反対される記載がない限り他の構成要素を除くのではなく他の構成要素をもっと含むことができることを意味する。また、明細書に記載した″…部″、″…器″、″モジュール″、″ブロック″などの用語は少なくとも一つの機能や動作を処理する単位を意味し、これはハードウェアやソフトウェアまたはハードウェア及びソフトウェアの結合に具現されることができる。【００１１】
これから本発明の実試例による広告提供システムに対して図面を参考にして詳細に説明する。
図１は本発明の実試例によるネットワークサービス媒体用ターゲティング広告提供システムを現わす図面である。
図１に図示したように、本発明の実試例によるターゲティング広告提供システムはネットワークサービス媒体システム（１００）、広告システム（２００）及びサービス媒体提供システム（３００）を含む。
ネットワークサービス媒体システム（１００）はネットワークサービス媒体（１２０）、データ受信サーバー（１４０）及びデータ送信サーバー（１６０）を含む。
ネットワークサービス媒体（１２０）はデータ差出人またはデータ受取人が使うネットワークサービスとして電子メール、ホームページ、ブログ、メッセンジャー、短文メッセージ（ＳＭＳ）などを意味する。この時、本発明の実試例によるネットワークサービス媒体（１２０）はこれらネットワークサービスにだけ限定されるのではなくて、ネットワークを経由して送受信されることなら動画ストリーミング、停止画像、音声などいずれでも含まれる。
【００１２】本発明の実試例によれば、データ差出人であるユーザは自ら嗜好情報と受信する広告コンテンツタイプ（テキスト、静止画、動画、音声）を登録して自分が使うネットワークサービス媒体（１２０）を経由してデータを発信した時、本発明の実試例による広告提供システムから広告追加伝達完了確認メッセージを受信することを承諾した者である。
また、本発明の実試例によるデータ受取人であるユーザは自ら嗜好情報と受信する広告コンテンツタイプを登録し、自分が使うネットワークサービス媒体（１２０）を経由して自分に到着するデータに本発明の実試例による広告提供システムが広告追加データを追加することを承諾した者である。【００１３】本発明の実試例によるネットワークサービス媒体（１２０）にはブラウザー閲覧履歴情報を取得するためのユーザ情報取得部（１２２）が設置されている。この時、ユーザの行動パターンであるブラウザー閲覧履歴はユーザが提携ウェブサイトに接続した時、または広告主のウェブ上の広告に露出した時に、提携ウェブサイトと広告主のウェブ上の広告にあらかじめ設置されているユーザ情報取得部（１２２）からユーザＩＤと一緒に自動的に収集される。自動収集されたユーザの行動パターンであるブラウザー閲覧履歴は、後述するようにユーザ嗜好情報の更新に使われる。【００１４】データ受信サーバー（１４０）はネットワークサービス媒体（１２０）を通じて受信されるデータを受信し、データ送信サーバー（１６０）はネットワークサービス媒体（１２０）を通じてデータを送信する。【００１５】本発明の実試例によるサービス媒体提供システム（３００）はネットワークサービス媒体（１２０）に提供されるシステムとし、ネットワークサービス媒体支援インターフェース装置（３２０）、データ構造解釈及び作成装置（３４０）、メッセージ伝達装置（３５０）及びサービスデータ保存データベース（３６０）を含む。【００１６】
ネットワークサービス媒体支援インターフェース装置（３２０）は公開システムとし、ネットワークサービス媒体（１２０）のデータ送信サーバー（１６０）とネットワークサービス媒体のデータ受信サーバー（１４０）とネットワークで繋がれている。ネットワークサービス媒体支援インターフェース装置（３２０）はネットワークサービス媒体（１２０）に提供されてネットワークサービスが自由に本発明の実試例によるシステムを使うことができるインターフェースを提供し、データ送信サーバーバックインターフェース（３２４）とデータ受信サーバーバックインターフェース（３２２）を含む。
【００１７】データ構造解釈及び作成装置（３４０）はネットワークサービス媒体支援インターフェース装置（３２０）とネットワークで繋がれて、データ送信サーバーバックインターフェース（３２４）やデータ受信サーバーバックインターフェース（３２２）の要求によって、提供されるネットワークサービス媒体のデータの構造を解釈する。
そして、データ構造解釈及び作成装置（３４０）はリアルタイム広告生成システム（２２０）が生成した広告を受信し、解釈したデータ構造に合わせて新規広告追加データを作成し、データ送信サーバーバックインターフェース（３２４）やデータ受信サーバーバックインターフェース（３２２）に提供する。またデータ構造解釈及び作成装置（３４０）はネットワークサービス媒体（１２０）が直接ユーザにサービスするデータの場合はデータＩＤを直接受信する。そして、データ構造解釈及び作成装置（３４０）はサービスデータ入力データベース（３６０）に保存しておいたデータを捜し出し、提供されるリアルタイム広告を追加する。【００１８】メッセージ伝達装置（３５０）はネットワークサービス媒体支援インターフェース装置（３２０）とネットワークで繋がれて、データ送信サーバーバックインターフェース（３２４）やデータ受信サーバーバックインターフェース（３２２）の要求によってデータ差出人が一番興味を持つ関心分野にマッチングされる広告を追加した広告追加伝達完了確認メッセージをデータ差出人に伝達する。この時、広告追加伝達完了確認メッセージは、ネットワークサービス媒体（１２０）のサービスデータ構造と同じ構造で伝達し、もし伝達することができないデータ構造の場合には電子メール構造で伝達する。
本発明の実試例による広告システム（２００）はリアルタイム広告生成システム（２２０）、ユーザ情報データベース（２４０）及び広告情報データベース（２５０）を含む。【００１９】ユーザ情報データベース（２４０）はユーザ嗜好情報とユーザが登録したユーザ個人情報で成り立つユーザ情報を保存している。この時、ユーザ嗜好情報はユーザ情報取得部（１２２）が抽出するユーザのブラウザー閲覧履歴から得た情報と連動していつも最新に随時更新され、ユーザ情報データベース（２４０）に保存される。【００２０】広告情報データベース（２５０）は広告主または広告主から依頼された広告代理店が登録した掲載時間、支払い上限額、広告コンテンツ（テキスト、静止画、動画、音声）などの広告情報を保存している。【００２１】リアルタイム広告生成システム（２２０）は内部システムとし、ネットワークサービス媒体支援インターフェース装置（３２０）とネットワークで繋がれて、ネットワークサービス媒体支援インターフェース装置（３２０）のデータ送信サーバーバックインターフェース（３２４）やデータ受信サーバーバックインターフェース（３２２）の要求によって、ユーザ情報データベース（２４０）と広告情報データベース（２５０）からユーザが今一番興味を持つ関心分野にマッチングされる広告をリアルタイムで生成する。リアルタイム広告生成システム（２２０）は生成されたリアルタイム広告をデータ送信サーバーバックインターフェース（３２４）やデータ受信サーバーバックインターフェース（３２２）に提供する。【００２２】図２は図１のターゲティング広告提供システムの構成をより具体的に現わす図面である。
図２に図示したように、本発明の実試例によるリアルタイム広告生成システム（２２０）は
ユーザ情報登録部（２２１）、広告情報登録部（２２２）、ユーザ情報分析部（２２３）、広告情報分析部（２２４）、ポインタマネージャー（２２５）及びＵＲＬ（Ｕｎｉｆｏｒｍ  ＲｅｓｏｕｒｃｅＬｏｃａｔｏｒ）情報分析部（２２６）を含む。【００２３】ユーザ情報登録部（２２１）はユーザ嗜好情報を含んだユーザ情報を入力し、広告情報登録部（２２２）は広告情報を入力する。
ユーザ情報分析部（２２３）はユーザ情報取得部（１２２）から提供されるブラウザー閲覧履歴に基いてユーザ嗜好などのユーザ情報を分析し、分析されたユーザ嗜好情報に基いてユーザ情報データベース（２４０）を更新する。
広告情報分析部（２２４）はデータ受取人またはデータ差出人にマッチングする最上位優先順位の広告データを広告情報データベース（２５０）から取得し、広告情報データベースに保存された広告の優先順位を更新する。
ポイントマネージャー（２２５）はデータ差出人、データ受取人、データサーバー、広告主のポイントを管理及び精算し、ＵＲＬ情報分析部（２２６）はユーザが広告サイトに接続する時、リンクＵＲＬに含まれているユーザＩＤと広告ＩＤから広告サイトＵＲＬを取得し、取得した広告サイトＵＲＬをユーザに提供すると同時にユーザと広告主にポイントを加算する。
また、広告システム（２００）は広告主情報データベース（２６１）、データ送信サーバー情報データベース（２６２）、データ受信サーバー情報データベース（２６３）、提携先情報データベース（２６４）を含む。【００２４】図２でユーザ情報データベース（２４０）にはユーザＩＤ、メールアドレス、携帯電話番号などのユーザ情報と随時更新されるユーザ嗜好情報が保存されているし、広告情報データベース（２５０）には掲載期間、支払い上限額、広告コンテンツ、広告ＩＤ、広告主などの広告情報が保存されている。
広告主情報データベース（２６１）には広告を依頼した広告主情報が保存されているし、提携先情報データベース（２６４）には提携先の情報が保存されている。
データ送信サーバー情報データベース（２６２）にはネットワークサービス媒体の送信サーバー情報が保存されているし、データ受信サーバー情報データベース（２６３）にはネットワークサービス媒体のデータ受信サーバー情報が保存されている。
一方、サービス媒体提供システム（３００）のサービスデータ保存データベース（３６０）にはネットワークサービス媒体が直接ユーザにサービスするデータが保存されている。【００２５】図２に図示したように、本発明の実試例によるデータ構造解釈及び作成装置（３４０）はデータ構造解釈部（３４４）とデータ構造作成部（３４２）を含む。
データ構造解釈部（３４４）はネットワークサービス媒体（１２０）が直接ユーザにサービスするデータをサービスデータ保存データベース（３６０）に保存する時、ネットワークサービス媒体（１２０）に対してデータＩＤを発行し、ネットワークサービス媒体（１２０）のデータ構造を解釈する。データ構造作成部（３４２）はネットワークサービス媒体（１２０）のデータ構造に合わせてデータを作成する。
メッセージ伝達装置（３５０）はネットワークサービス媒体のデータ構造と同じ構造でメッセージを伝達する。【００２６】図３及び図４は
本発明の実試例によってデータ差出人に関心分野がマッチングされた広告を追加して送るプロセスを現わす図面である。
図３に図示したように、データ送信サーバー（１６０）がデータ差出人の情報をデータ送信サーバーバックインターフェース（３２２）に提供して（Ｓ１００）、データ送信サーバーバックインターフェース（３２２）はユーザ情報分析部（２２３）にデータ差出人の情報を提供する。（Ｓ１１０）【００２７】ユーザ情報分析部（２２３）はユーザ情報データベース（２４０）にデータ差出人に対する問い合わせを要請し、問い合わせ結果を受信する。（Ｓ１２０、Ｓ１３０）
ユーザ情報分析部（２２３）はデータ差出人の問い合わせ結果に基いて、データ差出人が許可されたユーザ（以下、’パーミッションユーザー（ｐｅｒｍｉｓｓｉｏｎ  ｕｓｅｒ）’だとする）なのか可否を判断する。（Ｓ１４０）【００２８】上記段階Ｓ１４０での判断結果、データ差出人がパーミッションユーザーではなければ該当の事実をデータ送信サーバーバックインターフェース（３２２）に知らせてこれ以上手続きを進行しない。（Ｓ１７５）
上記段階Ｓ１４０での判断結果、データ差出人がパーミッションユーザーならユーザ情報分析部（２２３）はユーザ情報データベース（１５０）に問い合わせてデータ差出人の１日送信数をチェックする。（Ｓ１５０、Ｓ１６０）【００２９】ユーザ情報分析部（２２３）はデータ差出人の１日送信数に基いて、データ差出人の１日送信数が１日送信制限数を超過するのか可否を判断する。（Ｓ１７０）
上記段階Ｓ１７０での判断結果データ差出人の１日送信数が送信制限数を超過した場合には、該当の事実をデータ送信サーバーバックインターフェース（３２２）に知らせてこれ以上手続きを進行しない。（Ｓ１７５）【００３０】上記段階Ｓ１７０での判断結果、データ差出人の１日送信数が送信制限数を超えなければ、ユーザ情報分析部（２２３）はユーザ情報データベース（２４０）に問い合わせてデータ差出人が今一番興味を持つ関心分野にマッチングされる最上位優先順位の広告カテゴリーとデータ差出人が嗜好情報登録の時に選択したコンテンツタイプを獲得する。（Ｓ１８０、Ｓ１９０）【００３１】そして、ユーザ情報分析部（２２３）はユーザ情報データベース（２４０）に記録された現在の最上位優先順位を最下位にし、二番目以後の優先順位を一つずつ繰り上げて広告カテゴリーの優先順位を次の番の優先順位で更新する。（Ｓ２００）
このような優先順位の更新は後から詳しく説明する。【００３２】そして、ユーザ情報分析部（２２３）はデータ差出人情報を暗号化してユーザＩＤを発行する。
（Ｓ２１０）この時、ユーザＩＤはユーザがユーザ情報登録部（２２１）で嗜好情報を登録する時、ユーザのローカル環境（例えば、ユーザＰＣ）に保存されたものと同じである。【００３３】次に、ユーザ情報分析部（２２３）は広告情報分析部（２２４）に広告カテゴリー、コンテンツタイプ及びサイズを伝達し、データ差出人が今一番興味を持つ関心分野にマッチングされる最上位優先順位の広告を要求する。（Ｓ２２０）広告情報分析部（２２４）は広告情報データベース（２５０）に問い合わせてデータ差出人にマッチングする最上位優先順位の広告データを取得し、ユーザ情報分析部（２２３）に提供する。（Ｓ２３０、Ｓ２５０）この時の広告データには、コンテンツ、広告ＩＤ、広告主、ユーザＩＤが含まれる。【００３４】また広告情報分析部（２２４）は現在の最上位優先順位を最下位にし、二番目以後の優先順位を一つずつ繰り上げて広告の優先順位を次の番の優先順位で更新する。（Ｓ２７０）
ユーザ情報分析部（２２３）はデータ送信サーバーバックインターフェース（３２２）に広告情報分析部（２２４）から伝達を受けた広告データ（コンテンツ、広告ＩＤ、広告主、ユーザＩＤ）を提供する。（Ｓ２８０）
データ送信サーバーバックインターフェース（３２２）は広告データのコンテンツに広告ＩＤとユーザＩＤをリンクさせて広告を作成する。（Ｓ２９０）【００３５】そして、図４に図示したように、データ送信サーバーバックインターフェース（３２２）はデータ構造解釈及び作成装置（３４０）にネットワークサービス媒体のデータ構造に合う広告追加伝達完了確認メッセージの作成を依頼し、データ構造解釈及び作成装置（３４０）から広告追加伝達完了確認メッセージを受信する。（Ｓ３００、Ｓ３１０）
データ送信サーバーバックインターフェース（３２２）はデータ構造解釈及び作成装置（３４０）が作成した広告追加伝達完了確認メッセージをメッセージ伝達装置（３５０）に依頼してデータ差出人に送信して（Ｓ３２０）、ユーザ情報データベースに記録されたデータ差出人の１日送信数を更新する。（Ｓ３３０）【００３６】また、データ送信サーバーバックインターフェース（３２２）はポイントマネージャー（２２５）に広告主、データ送信サーバーのポイント加算を依頼して（Ｓ３４０）、ポイントマネージャー（２２５）は広告主とデータ送信サーバーのポイントをそれぞれ加算する。（Ｓ３５０、Ｓ３６０）
データ送信サーバーバックインターフェース（３２２）はユーザ情報分析部（２２３）を通じてデータ受信サーバー情報データベース（３６０）からデータ受取人が使っているデータ受信サーバー情報を確認した後、データ受取人が使うデータ受信サーバーが提携媒体なのかを判断する。（Ｓ３７０、Ｓ３８０）【００３７】上記段階Ｓ３８０での判断結果、データ受取人が使うネットワークサービス媒体のデータ受信サーバーが提携媒体ではない場合、パーミッションユーザーであるデータ受取人に広告情報を追加したデータを作成してデータ送信サーバー（１６０）で伝達する。（Ｓ３９０）
この時、提携媒体のネットワークサービス媒体のデータ受信サーバーの使用を勧める。
上記段階Ｓ３８０での判断結果データ受取人が使うネットワークサービス媒体のデータ受信サーバーが提携媒体の場合。これ以上手続きを進行しない。【００３８】図５及び図６は本発明の実試例によって、データ受取人の関心分野がマッチングされた広告を追加してデータ受取人に送るプロセスを現わす図面である。
図５に図示したように、データ受信サーバーバックインターフェース（３２４）はデータ受信サーバー（１４０）からデータ差出人の情報を受信して（Ｓ４００）、データ差出人がシステムなのか可否を判断する。（Ｓ４１０）【００３９】上記段階Ｓ４１０での判断結果データ差出人がシステムの場合、システムが発送した広告追加伝達完了確認メッセージで判断して追加広告を作成しないことで、広告が２回載せられることを防止する。【００４０】上記段階Ｓ４１０での判断結果データ、差出人がシステムではない場合、データ受信サーバーバックインターフェース（３２４）はデータ受信サーバー（１４０）から受信したデータ受取人の情報をユーザ情報分析部（２２３）に提供してデータ受取人の問い合わせを要請する。（Ｓ４２０）
ユーザ情報分析部（２２３）はユーザ情報データベース（２４０）にデータ受取人の問い合わせを要請し、該当の結果を受信する。（Ｓ４３０、Ｓ４４０）【００４１】そして、ユーザ情報分析部（２２３）はユーザ情報データベース（２４０）からの問い合わせ結果に基いて、データ受取人がパーミッションユーザーなのか可否を判断する。（Ｓ４５０）
上記段階Ｓ４５０での判断結果、データ受取人がパーミッションユーザーではなければ該当の事実をデータ受信サーバーバックインターフェース（３２４）に知らせてこれ以上手続きを進行しない。
上記段階Ｓ４５０での判断結果、データ受取人がパーミッションユーザーならユーザ情報分析部（２２３）はユーザ情報データベース（２４０）に問い合わせてデータ受取人の１日広告露出数をチェックする。（Ｓ４６０、Ｓ４７０）【００４２】ユーザ情報分析部（２２３）はデータ差出人の１日広告露出数に基いて、データ差出人の１日広告露出数が１日制限露出数を超過するのか可否を判断する。（Ｓ４８０）
上記段階Ｓ４８０での判断結果、データ受取人の１日広告露出数が制限露出数を超過した場合には、該当の事実をデータ受信サーバーバックインターフェース（３２４）に知らせてこれ以上手続きを進行しない。【００４３】上記段階Ｓ４８０での判断結果、データ受取人の１日広告露出数が露出制限数を超えなければ、ユーザ情報分析部（２２３）はユーザ情報データベース（２４０）に問い合わせてデータ受取人が今一番興味を持つ関心分野にマッチングされる最上位優先順位の広告カテゴリーとデータ受取人が嗜好情報登録の時に選択したコンテンツタイプを獲得する。（Ｓ４９０、Ｓ５００）【００４４】そして、ユーザ情報分析部（２２３）はユーザ情報データベース（２４０）に記録された現在の最上位優先順位を最下位にし、二番目以後の優先順位を一つずつ繰り上げて広告カテゴリーの優先順位を次の番の優先順位で更新する。（Ｓ５１０）
そして、ユーザ情報分析部（２２３）はデータ受取人情報を暗号化してユーザＩＤを発行する。（Ｓ５２０）【００４５】次、ユーザ情報分析部（２２３）は広告情報分析部（２２４）に広告カテゴリー、コンテンツタイプ及びサイズを伝達し、データ受取人が今一番興味を持つ関心分野にマッチングされる最上位優先順位の広告を要求する。（Ｓ５３０）広告情報分析部（２２４）は広告情報データベース（２５０）に問い合わせてデータ受取人に合う最上位優先順位の広告データを取得し、ユーザ情報分析部（２２３）に提供する。（Ｓ５４０、Ｓ５５０）
この時の広告データには、コンテンツ、広告ＩＤ、広告主、ユーザＩＤが含まれる。【００４６】また広告情報分析部（２２４）は現在の最上位優先順位を最下位にし、二番目以後の優先順位を一つずつ繰り上げて広告の優先順位を次の番の優先順位で更新する。（Ｓ５７０）
ユーザ情報分析部（２２３）はデータ受信サーバーバックインターフェース（３２４）に広告情報分析部（２２４）から伝達を受けた広告データを提供する。（Ｓ５８０）【００４７】データ受信サーバーバックインターフェース（３２４）は広告データのコンテンツに広告ＩＤとユーザＩＤをリンクさせて広告を作成する。（Ｓ５９０）
データ受信サーバーバックインターフェース（３２４）は、ネットワークサービス媒体のデータ受信サーバー（１４０）に広告を追加するデータ差出人から提供されたデータを要求する。（Ｓ６００）データ受信サーバー（１４０）はデータ受信サーバーバックインターフェース（３２４）にデータ差出人から提供されたデータを送る。（Ｓ６１０）【００４８】この際、データ受信サーバー（１４０）が自らデータ受取人にサービスデータを伝達する場合には、サービスデータ保存データベース（３６０）に保存する際に受信したデータＩＤを渡す。
データＩＤは、ネットワークサービス媒体がサービスデータをサービスデータ保存データベースに保存する際、データ構造解釈及び作成装置（３４０）から発行されて渡してもらう。【００４９】そして、図６に図示したように、データ受信サーバーバックインターフェース（３２４）はデータ構造解釈及び作成装置（３４０）にネットワークサービス媒体のデータ構造に合うように、データ受取人が受信する元のデータに広告を追加した新規データの作成を依頼する。（Ｓ６２０）この時、データ構造解釈及び作成装置（３４０）は、データＩＤの場合、サービスデータ保存データベース（３６０）から指定されたデータを捜し出して広告を追加するデータにする。（Ｓ６３０、Ｓ６４０）【００５０】そして、データ構造解釈及び作成装置（３４０）は受取人が受信するデータに広告を追加してデータ受信サーバーバックインターフェース（３２４）に返す。（Ｓ６５０）
データ受信サーバーバックインターフェース（３２４）はデータ構造解釈及び作成装置（３４０）が作成した広告追加新規データをネットワークサービス媒体のデータ受信サーバー（１４０）に提供し、ユーザ情報データベースに記録されたデータ受取人の１日広告露出数を更新する。（Ｓ６７０）【００５１】
また、データ受信サーバーバックインターフェース（３２４）はポイントマネージャー（２２５）に広告主、データ受信サーバーのポイント加算を依頼して（Ｓ６８０）、ポイントマネージャー（２２５）は広告主とデータ受信サーバーのポイントをそれぞれ加算する。（Ｓ６９０、Ｓ７００）
データ受信サーバーバックインターフェース（３２４）はユーザ情報分析部（２２３）を通じてデータ送信サーバー情報データベース（２６２）からデータ差出人が使っているデータ送信サーバー情報を確認した後、データ差出人が使うデータ送信サーバーが提携媒体なのかを判断する。（Ｓ７１０、Ｓ７２０）
【００５２】
上記段階Ｓ７２０での判断結果、データ差出人が使うネットワークサービス媒体のデータ送信サーバーが提携媒体ではない場合、パーミッションユーザーであるデータ差出人に広告情報を追加したデータを作成してデータ送信サーバーに伝達する。（Ｓ７３０）この時、提携媒体のネットワークサービス媒体のデータ送信サーバーの使用を勧める。
上記段階Ｓ７２０での判断結果、データ差出人が使うネットワークサービス媒体のデータ送信サーバーが提携媒体の場合、これ以上手続きを進行しない。
【００５３】図７は本発明の実試例によってユーザのブラウザー閲覧履歴とユーザ嗜好情報を連動させていつも最新のユーザ嗜好情報を維持する方法を現わす図面である。
先に、ユーザはユーザ情報登録部（２２１）を通じて自分の嗜好情報を登録する。（Ｓ１０）この時、ユーザ情報登録部（２２１）はユーザ登録情報の中でメールアドレスを暗号化してユーザＩＤを発行し、発行されたユーザＩＤをユーザのローカル環境に保存するようにする。（Ｓ１１）
そして、ユーザ情報登録部（２２１）は登録されたユーザ嗜好情報と発行されたユーザＩＤをユーザ情報データベース（２４０）に保存する。（Ｓ１２）【００５４】ユーザが広告主のウェブ上の広告に露出するか（Ｓ１３）提携先のウェブサイトに接続すれば（Ｓ１５）、広告主のウェブ上の広告と提携先のウェブサイトにあらかじめ設置されているユーザ情報取得部（１２２）はユーザローカル環境に保存されているユーザＩＤと一緒にブラウザー閲覧履歴を自動で収集して収集されたブラウザー閲覧履歴とユーザＩＤをユーザ情報分析部（２２３）に提供する。（Ｓ１４、Ｓ１６）【００５５】
ユーザ情報分析部（２２３）はユーザ情報取得部（１２２）から提供されるブラウザーの閲覧履歴を解釈し、ユーザが今一番興味を持つユーザ嗜好情報を捜し出す。（Ｓ１７）
具体的には、ユーザ情報分析部（２２３）は現在ページのキーワードを抽出し、ブラウザー閲覧履歴の以前ページにあたるＵＲＬを持つウェブページに接続してキーワードを抽出してこれらキーワードからユーザが現在興味を持つユーザ嗜好情報を捜し出す。
【００５６】次に、ユーザ情報分析部（２２３）は、ユーザＩＤの嗜好情報をユーザ情報データベース（２４０）に要求し、ユーザＩＤに対応するユーザ嗜好情報を受信する。（Ｓ１９）
そして、ユーザ情報分析部（２２３）はブラウザーの閲覧履歴を解釈して得た広告カテゴリーとユーザ情報データベースに保存されたユーザ嗜好情報に基いて、嗜好情報更新が必要か可否を判断する。（Ｓ２０）【００５７】上記段階Ｓ２０での判断結果、嗜好情報の更新が不必要な場合、すなわちブラウザーの閲覧履歴を解釈して得た広告カテゴリーとユーザ情報データベースに保存されたユーザ嗜好情報が一致しない場合にはブラウザーの閲覧履歴の解析結果を無視する。
上記段階Ｓ２０での判断結果、嗜好情報の更新が必要な場合、すなわちブラウザーの閲覧履歴を解釈して得た広告カテゴリーとユーザ情報データベースに保存されたユーザ嗜好情報が一致した場合には、ブラウザー閲覧履歴解釈結果の広告カテゴリーをユーザ嗜好情報の優先順位の上位にあげる。（Ｓ２１）そして、現在の優先順位を一つの上げて広告カテゴリーの優先順位を次の番の優先順位で更新する。（Ｓ２２）【００５８】このように本発明の実試例によれば、ユーザ情報分析部（２２３）がブラウザーの閲覧履歴から得ることができる情報を分析して一時的なユーザ嗜好情報として扱って、ブラウザー閲覧履歴から得た一時的なユーザ嗜好情報があらかじめ登録しておいた嗜好情報とマッチングされる場合、該当の嗜好情報の優先順位を上位にランクさせる。【００５９】図８及び図９は、変わるユーザの嗜好情報にマッチングする広告カテゴリーの優先順位と伝達広告の優先順位を更新するプロセスを現わす図面である。
図８に図示したように、ユーザ情報分析部（２２３）は以前に説明したように、ユーザ情報取得部（１２２）から取得したブラウザー閲覧履歴を解釈して最新ユーザの嗜好情報の広告カテゴリーテーブルを作成する。（Ｓ４１）【００６０】そして、ユーザ情報分析部（２２３）はユーザ情報取得部（１２２）から取得したユーザＩＤに対応するユーザの嗜好情報をユーザ情報データベース（２４０）から取得し、ブラウザー閲覧履歴に基礎したユーザの嗜好情報の中でユーザ情報データベース（２４０）に登録されていない広告カテゴリーテーブルの項目（図９では競馬、野球）はフィルタリングし、フィルタリングされた新しい広告カテゴリーテーブルを作成する。（Ｓ４２）【００６１】そして、ユーザ情報分析部（２２３）はフィルタリングされた新しい広告カテゴリーテーブルの項目をユーザが現在一番興味を持つ項目と見做し、フィルタリングされた広告カテゴリーテーブルの項目順にユーザ嗜好情報の優先順位を最上位から順にランクさせて既存の優先順位を更新する。（Ｓ４３）【００６２】ユーザ情報分析部（２２３）は図３ないし図６で説明したように、広告情報分析部（２２４）に依頼してユーザ嗜好情報の優先順位が最上位である広告カテゴリー（図６では″ダイエット″）の広告を要求する。【００６３】
そして、広告情報分析部（２２４）は広告情報データベース（２５０）に保存された多数の広告テーブルの中でユーザ情報分析部が要求した広告カテゴリー（ダイエット）にあたる広告テーブルの優先順位が最上位である広告コンテンツ（図９では″Ａスリム″）を選択し、ユーザ情報分析部（２２３）に提供する。
【００６４】
そして、広告情報分析部（２２４）は伝達順位が最上位である広告コンテンツ（Ａスリム）の優先順位を最下位にランクさせて二番目以後の優先順位を一つずつ上げて優先順位を更新する。
（Ｓ４５）すなわち、図９に図示したように、広告情報分析部（２２４）はＢダイエット、Ｃ痩身、Ｄマッサージ、Ａスリムの伝達順位で広告情報データベース（２５０）を更新する。
ユーザ情報分析部（２２３）は広告情報分析部（２２４）からユーザ嗜好情報の優先順位が最上位である広告カテゴリー（図９では″ダイエット″）の広告を受信すれば、
ユーザ情報データベース（２４０）に保存された最上位の広告カテゴリー（図９では″ダイエット″）を最下位でランクさせて二番目以後の優先順位を一つずつあげて優先順位を更新する。（Ｓ４６）
【００６５】図１０はネットワークサービス媒体が指定したコンテンツタイプの広告を広告データベースから抽出するプロセスを現わす図面である。
ユーザ情報分析部（２２３）は広告カテゴリー（ダイエット）、コンテンツタイプ（動画／イメージ）、サイズ（３００＊５００）などの情報が含まれたユーザ嗜好の広告を広告情報分析部（２２４）に要求する。（Ｓ５０）広告情報分析部（２２４）はコンテンツタイプとサイズに合う最上位優先順位の広告を広告情報データベース（２５０）に要求して取得する。（Ｓ５１、Ｓ５２）【００６６】    そして、広告情報分析部（２２４）はユーザ情報分析部（２２３）が要求したサイズに対応するサイズの広告データをユーザ情報分析部（２２３）に提供する。（Ｓ５５）具体的には、広告情報分析部（２２４）はユーザ情報分析部（２２３）が要求したサイズと等しい大きさの広告コンテンツがある場合これをユーザ情報分析部（２２３）に提供するが、要求されたサイズのコンテンツがない場合にはコンテンツを要求されたサイズに対応してサイズを調節（以下’リサイズ’だとする）して提供する。（Ｓ５３、Ｓ５５）【００６７】この時、本発明の実試例によるリサイズは広告情報データベース（２５０）に入庫されたコンテンツのサイズと要求されたサイズの横、縦拡大率が小さな方を基準で適用する。
例えば、図１０に図示したように広告情報データベース（２５０）から提供されたＡスリム１のサイズが５０＊１００で、要求されたサイズが３００＊５００の場合、要求されたサイズ／Ａスリム１のサイズの割合の中で横拡大率が６（３００／５）で縦拡大率が５（５００／１００）なので、縦拡大率（５）を基準にリサイズした２５０＊５００のコンテンツを広告データとして提供する。（Ｓ５３）
一方、図１０に図示したように広告情報データベース（２５０）から提供されたＡスリム２のサイズが６００＊５００で、要求されたサイズが３００＊５００の場合、要求されたサイズ／Ａスリム２のサイズの割合の中で横拡大率が０。５（３００／６００）で縦拡大率が１（５００／５００）なので、横拡大率（０。５）を基準にリサイズした３００＊２５０のコンテンツを広告データとして提供する。（Ｓ５４）【００６８】図１１ないし、図１２、図１３はユーザが広告先に接続した時のプロセスを現わす図面である。
図１１に図示したように、ＵＲＬ情報分析部（２２６）はユーザから広告先へのアクセス依頼を受信して（Ｓ６０）、広告先のリンクＵＲＬに含まれている広告ＩＤとユーザＩＤを分離解釈する。（Ｓ６１）ＵＲＬ情報分析部（２２６）は広告情報データベース（２５０）に広告ＩＤの広告先ＵＲＬを要求して（Ｓ６２）、広告先ＵＲＬを取得する。（Ｓ６３）ＵＲＬ情報分析部（２２６）は広告情報データベース（２５０）から取得した広告先ＵＲＬが有效なＵＲＬなのか可否を判断する。（Ｓ６４）【００６９】上記段階Ｓ６４での判断結果、広告先ＵＲＬが有效なＵＲＬの場合、ＵＲＬ情報分析部（２２６）は広告先のＵＲＬをユーザに提供する。（Ｓ６５）
そして、ＵＲＬ情報分析部（２２６）はユーザＩＤを復号してユーザのメールアドレスを抽出し、（Ｓ６６）ユーザ情報データベース（２４０）にユーザＩＤがパーミッションユーザーなのかに対する情報を要請してその結果を受信する。（Ｓ６７、Ｓ６８）
ＵＲＬ情報分析部（２２６）はユーザＩＤのユーザがパーミッションユーザーなのか可否を判断して（Ｓ６９）、パーミッションユーザーではない場合は、会員登録勧誘の広告と広告追加データを作成し、メッセージ伝達装置（３５０）に提供する。（Ｓ７０、Ｓ７１、Ｓ７２）【００７０】一方、図１２に図示したように上記段階Ｓ６９での判断結果、パーミッションユーザーが広告先にアクセスした場合には、ＵＲＬ情報分析部（２２６）はユーザ情報データベース（２４０）に広告ＩＤをアクセスした事があるのか問い合わせて、その結果を受信する。（Ｓ７３、Ｓ７４）【００７１】そして、上記ＵＲＬ情報分析部（２２６）は広告ＩＤをアクセスした事があるのか可否を判断して（Ｓ７５）、広告をアクセスした事があれば該当の事実をユーザに伝達して広告をアクセスした事がなければユーザ及び広告主にポイントを加算する。（Ｓ７６、Ｓ７７）【００７２】一方、図１３に図示したように上記段階Ｓ６４での判断結果、広告先ＵＲＬが有效ではない場合、すなわち広告先の掲載期間が終了した場合には、ＵＲＬ情報分析部（２２６）は広告情報データベース（２５０）に既存の広告ＩＤのカテゴリーと一致する広告を要求して（Ｓ８５）、
コンテンツ、新広告ＩＤ、新広告主及びユーザＩＤを含む広告データを受信する。（Ｓ８６）
そして、ＵＲＬ情報分析部（２２６）はデータ構造解釈及び作成装置（３４０）にネットワークサービス媒体データ構造に合う推薦広告追加データの作成を依頼し、作成された推薦広告追加データを受信する。（Ｓ８８、Ｓ８９）
ＵＲＬ情報分析部（２２６）はデータ構造解釈及び作成装置（３４０）から受信された推薦広告追加データをメッセージ伝達装置（３５０）に伝達してユーザに送信されるようにして（Ｓ９０）、ＵＲＬ情報分析部（２２６）は広告主データベース（２６１）にアクセスして推薦広告の広告主（新広告主）にポイントを加算する。（Ｓ９１）【００７３】図１４はネットワークサービス媒体がサービスデータをサービスデータ入力データベースに保存するプロセスを現わす図面である。
図１４に図示したように、ネットワークサービス媒体のデータ受信サーバー（１４０）はデータ受信サーバーバックインターフェース（３２４）にサービスデータを提供しながら、サービスデータの保存とサービスデータＩＤの発行を依頼する。（Ｓ９２）その後、受信サーバーバックインターフェース（３２４）はデータ構造解釈部（３４４）にデータ受信サーバー（１４０）から受信したサービスデータを提供しながら、サービスデータの保存とサービスデータＩＤの発行を依頼する。（Ｓ９３）
データ構造解釈部（３４４）はサービスデータをサービスデータ保存データベース（３６０）に保存して（Ｓ９４）、サービスデータＩＤを発行する。（Ｓ９５）データ構造解釈部（３４４）は発行されたサービスデータＩＤをデータ受信サーバーバックインターフェース（３２４）を通じてデータ受信サーバー（１４０）に提供する。（Ｓ９６、Ｓ９７）【００７４】次は本発明の実試例による広告追加の方法を多様なネットワークサービス媒体（電子メール、ホームページ、ブログ、メッセンジャー、ＳＭＳ）に適用した例に対して説明する。
先に、本発明の実試例による広告追加方法をメール送信システムに適用した例を説明する。図１５及び図１６は本発明の実試例による広告追加方法をメール送信システムに適用した例を現わす図面である。【００７５】図１５及び図１６に図示したように、メール送信システムでデータ差出人は［Ｆｒｏｍ：］フィールドのメールアドレスのユーザであり、データ受取人は［Ｔｏ：］フィールド（受信者フィールド）と［Ｃｃ：］）（参照受信者フィールド）、［Ｂｃｃ：］フィールド（隠れた参照受信者フィールド）のメールアドレスのユーザである。この時、本発明の実試例によればデータ受取人のメールアドレスにはメーリングリストも含まれて、これによってメーリングリストを構成するメンバーのメールアドレスもデータ受取人の対象になることができる。【００７６】本発明の実試例によれば、メール差出人（Ｆｒｏｍ：フィールド）にメール差出人の嗜好にあう広告を追加した［送信完了確認］メールを作成して送って、メール受取人（Ｔｏ：フィールド、Ｃｃ：フィールド、Ｂｃｃ：フィールド）にはメール受取人の嗜好にあう広告をメール差出人のメール内容に追加したメールを作成して送る。この時、本発明の実試例によればユーザ情報データベース（２４０）に保存された最新の嗜好情報と広告情報データベース（２５０）に保存された広告コンテンツ情報に基いて、メール受取人またはメール差出人の嗜好にあう広告が挿入された広告追加メールを発送する。【００７７】本発明の実試例による、広告追加メールはＲＦＣ２０４５−ＲＦＣ２０４９の規約に準拠して図１５のメールパート（１０）に広告パート（２０）を追加したマルチパートを構築して作成する。この時、メールパート（１０）は差出人、受信者、参照、題目などが記録されるヘッダーパート（１１）と本文内容が記録されるボディーパート（１２）で成り立つ。【００７８】図１５の（Ａ）及び（Ｂ）はそれぞれシングルパートのメッセージに広告パートを追加してマルチパートを作成した例とマルチパートのメッセージに広告パートを追加してマルチパートを作成する例を現わす。【００７９】図１６はメール送信システムに適用された具体的な例を現わす図面である。図１６に図示したように、データ差出人のＦｒｏｍ：フィールドのユーザにはユーザ情報データベース（２４０）に保存されている差出人の嗜好情報の中で最上位の［健康食品］カテゴリーと広告情報データベース（２５０）に保存されている健康食品カテゴリーに対応する広告コンテンツを参照し、最上位の広告コンテンツである［アガリクス］広告を選択し、送信完了確認メールに追加して送信する。
これと類似し、データ受取人であるＴｏ：フィールドのユーザには本人の嗜好情報の最上位の［Ｊ−ＰＯＰ］カテゴリーに対応する広告コンテンツの中で最上位の［ａＰｏｄ］の広告を選択し、メールパートに追加して送信する。また、データ受取人であるＣＣ：フィールドのユーザには本人の嗜好情報の最上位の［車］カテゴリーに対応する広告コンテンツの中で最上位の［Ｐ車］の広告を選択して元のメールパートに追加して送信する。【００８０】次は本発明の実試例による広告追加の方法をホームページに適用した例に対して説明する。
本発明の実試例によれば、ホームページには広告を表示する広告スペースがあらかじめ設定されていて、この広告スペースにホームページサービスを受けるユーザの情報を取得することができるユーザ情報取得部（１２２）が設置されている。【００８１】ユーザ情報取得部（１２２）は自分がいる広告範囲に本発明の実試例による広告提供システムから提供される広告ＨＴＭＬ門を挿入する。この時、広告挿入文は＜ａ  ｈｒｅｆ＝″広告リンク″＞広告データ＜／ａ＞の構造であり、ウェブブラウザーはこの挿入文を解釈して広告を表示する。この時、表示される広告はユーザの嗜好情報の最上位の広告カテゴリー（例えば、映画）に対応する広告情報データベースに保存された広告コンテンツ（例えば、鳥）の広告を表示する。【００８２】次は本発明の実試例による広告追加の方法をインターネットメッセンジャーに適用した例に対して説明する。
本発明の実試例によれば、インターネットメッセンジャーには広告を表示する広告スペースがあらかじめ設定されていて、この広告スペースにインターネットメッセンジャーサービスを受けるユーザの情報を取得することができるユーザ情報取得部（１２２）が設置されている。【００８３】本発明の実試例によれば、データ差出人であるユーザＡにはユーザＡの嗜好情報の最上位の広告カテゴリー（例えば、自動車）に対応する広告情報データベースに保存された広告コンテンツの中で最上位広告コンテンツ（例えば、Ｐ車の広告）を表示する。
そして、データ受取人であるユーザＢにはユーザＢの嗜好情報の最上位の広告カテゴリー（例えば、健康食品）に対応する広告情報データベースに保存された広告コンテンツの中で最上位広告コンテンツ（例えば、アガリクス）の広告を表示する。
ユーザＡとユーザＢがメッセージを交換すれば、データ差出人とデータ受取人の立場をお互いに変えながら、図３ないし図６に図示したプロセスに基いてメッセージ交換の時の嗜好情報の最上位の広告カテゴリーに対応する広告情報データベースの広告コンテンツの中で最上位の広告を表示する。【００８４】次は本発明の実試例による広告追加の方法を短文メッセージ（ＳＭＳ；ｓｈｏｒｔ  ｍｅｓｓａｇｅ  ｓｅｒｖｉｃｅ）に適用した例に対して説明する。
図１７は本発明の実試例による広告追加方法をＳＭＳに適用する場合のメッセージフォーマットを現わす図面である。【００８５】携帯電話の電話番号に短文メッセージサービス（ＳＭＳ：Ｓｈｏｒｔ  Ｍｅｓｓａｇｅ  Ｓｅｒｖｉｃｅ）を提供する媒体は本発明の実試例でのネットワークサービス媒体（１２０）になって、携帯電話でＳＭＰＰプロトコルによって送信されるＳＭＳデータを受信するＳＭＰＰサーバー（ＳＭＳＣ）が本発明の実試例のデータ送受信サーバーになる。【００８６】本発明の実試例によれば、データ構造解釈及び作成装置（３４０）は各サービス提供者が独自的に開発したＳＭＳデータフォーマットを解釈してメッセージ本文後に広告データを追加し、ＳＭＳサービスを受信するユーザに広告を送信することができる。
図１７の（Ａ）は元のメッセージのメッセージフォーマットを現わし、図１７の（Ｂ）は本発明の実試例によって広告データが追加されてＳＭＳ受取人に発送されるメッセージフォーマットを現わす図面である。【００８７】図１７の（Ｂ）から分かるように、本発明の実試例によればＳＭＳメッセージフォーマット中＜ＳＭＡＰ：Ｂｏｄｙ＞と＜／ＳＭＡＰ：Ｂｏｄｙ＞タグの間に＜ＳＭＡＰ：Ｔｅｘｔ＞オリジナルメッセージ＜／ＳＭＡＰ：Ｔｅｘｔ＞＜ＳＭＡＰ：Ｔｅｘｔ＞広告＜／ＳＭＡＰ：Ｔｅｘｔ＞を追加することで、ＳＭＳ受取人に広告データが追加されるメッセージを発送する。【００８８】次は本発明の実試例による広告追加の方法をＲＳＳ（Ｒｅａｌｌｙ  Ｓｉｍｐｌｅ  Ｓｙｎｄｉｃａｔｉｏｎ）に適用した例に対して説明する。
図１８は本発明の実試例による広告追加方法をＲＳＳに適用する場合のメッセージフォーマットを現わす図面である。【００８９】ブログサービスの中でＲＳＳフィード、ＲＳＳリーダーサービスを提供する媒体は本発明のシステムでネットワークサービス媒体になって、本発明の実試例による広告提供システムを活用してＲＳＳリーダーがＲＳＳフィードが作った要約文に広告を追加し、ＲＳＳ利用者に広告を表示することができる。【００９０】図１８の（Ａ）に図示したように、ＲＳＳフィードはＲＳＳ規約に基いてＸＭＬ文形式の要約文を作成する。
各投稿記事の要約文は＜ｉｔｅｍ＞タグ中に作成される。図１８の（Ｂ）に図示したように、ＲＳＳリーダーは各ＲＳＳフィードが作成したＸＭＬ形式の要約文の中に広告用＜ｉｔｅｍ＞を追加する。図１８の（Ｂ）はＲＳＳリーダー利用者の嗜好情報の最上位広告カテゴリーである［ゴルフ］カテゴリーに対応する広告情報データベースに保存された広告コンテンツの中で最上位の［マスターゴルフ］の広告＜ｉｔｅｍ＞が追加されて表示された例である。【００９１】一方、次には一般的なブログに適用される広告追加の例を説明する。一般的なブログの場合、ブログページには広告を表示する広告スペースがあらかじめ設定されていて、この広告スペースにはブログサービスを受けるユーザの情報を取得することができるユーザ情報取得部（１２２）が設置されている。【００９２】この時、ユーザ情報取得部（１２２）は自分がいる広告スペースに本発明の実試例による広告システムから広告挿入ＨＴＭＬ文を受信し、これを挿入する。この時、広告挿入文は＜ａ  ｈｒｅｆ＝″広告リンク″＞広告データ＜／ａ＞の構造で、ブログサービス媒体はこの挿入文を解釈して広告を表示する。【００９３】以上で説明したように、本発明の実試例によればブラウザー閲覧履歴から得たユーザ嗜好情報とあらかじめ登録しておいた嗜好情報に基いて、該当の嗜好情報の優先順位を上位にランクさせることでデータ差出人またはデータ受取人の現在嗜好情報をリアルタイムで更新する。そして、本発明の実試例によればデータ差出人とデータ受取人の間で交換される情報に、
データ差出人またはデータ受取人の関心分野にマッチングする広告をリアルタイムで生成して追加することで、広告效果を極大化することができる。【００９４】本発明の実試例は以上で説明した装置及び／または方法を通じてだけ具現になるのではなくて、本発明の実試例の構成に対応する機能を実現するためのプログラム、そのプログラムが記録された記録媒体などを通じて具現されることもでき、このような具現は前に説明した実試例の記載から本発明が属する技術分野の専門家なら容易に具現することができる。
以上で本発明の実試例に対して詳細に説明したが本発明の権利範囲はここに限定されるのではなくて次の請求範囲で定義している本発明の基本概念を利用した当業者の多くの変形及び改良形態も本発明の権利範囲に属する。
【発明の効果】
【００９５】本発明によれば、データ差出人とデータ受取人の間で交換される情報に、データ差出人またはデータ受取人の現在関心分野にマッチングする広告をリアルタイムで生成して追加することで広告效果を極大化することができる。
【図面の簡単な説明】
【００９６】図１は本発明の実試例による広告提供システムを現わす図面である。
図２は図１の広告提供システムの構成をより具体的に現わす図面である。
図３及び図４はデータ差出人の関心分野がマッチングされた広告を追加して送るプロセスを現わす図面である。
図５及び図６はデータ受取人の関心分野がマッチングされた広告を追加して送るプロセスを現わす図面である。
図７は本発明の実試例によってユーザのブラウザー閲覧履歴とユーザ嗜好情報を連動させて最新のユーザ嗜好情報を維持する方法を現わす図面である。
図８及び図９は変わるユーザの嗜好情報に合う広告カテゴリーの優先順位と伝達広告の優先順位を更新するプロセスを現わす図面である。
図１０はネットワークサービス媒体が指定したコンテンツタイプの広告を広告データベースから抽出するプロセスを現わす図面である。
図１１ないし図１２ないし図１３はユーザが広告先に接続した時のプロセスを現わす図面である。
図１４はネットワークサービス媒体がサービスデータをサービスデータ入力データベースに保存するプロセスを現わす図面である。
図１５及び図１６は本発明の実試例による広告追加方法をメール送信システムに適用した例を現わす図面である。
図１７は本発明の実試例による広告追加方法を短文メッセージサービスシステムに適用した例を現わす図面である。
図１８は本発明の実試例による広告追加方法をＲＳＳ（Ｒｅａｌｌｙ  Ｓｉｍｐｌｅ  Ｓｙｎｄｉｃａｔｉｏｎ）に適用した例を現わす図面である。
【図１】
0005520485.tif 000002
【図２】
0005520485.tif 000003
【図３】
0005520485.tif 000004
【図４】
0005520485.tif 000005
【図５】
0005520485.tif 000006
【図６】
0005520485.tif 000007
【図７】
0005520485.tif 000008
【図８】
0005520485.tif 000009
【図９】
0005520485.tif 000010
【図１０】
0005520485.tif 000011
【図１１】
0005520485.tif 000012
【図１２】
0005520485.tif 000013
【図１３】
0005520485.tif 000014
【図１４】
0005520485.tif 000015
【図１５】
0005520485.tif 000016
【図１６】
0005520485.tif 000017
【図１７】
0005520485.tif 000018
【図１８】
0005520485.tif 000019